(57)【要約】【課題】遊技者に与える圧迫感を払拭すると共に遊技盤面のデザインをそのまま枠体の前面にまで連続して広げるようにして遊技盤面に統一性のある大胆かつ斬新なデザインを施し、もって、遊技の興趣を高めるようにした弾球遊技機を提供する。【解決手段】文字等の情報が変動表示される表示部１２ａを有し前側にはその周囲を囲う枠体２０を備えた可変表示装置１２を遊技盤４面に装着した弾球遊技機Ｐであって、枠体２０はその前面が遊技盤４面とほぼ同じ高さを有し、枠体２０における外周縁部２０ａの上部の前面に遊技球を受け止めて左右いずれかに流下させる細長棒状の支持杆２３を装着してなり、支持杆２３は遊技盤４の前面から前方へ所定の寸法離れた位置に配置された構成からなる。【選択図】図３
2005211489.tif 000002
【特許請求の範囲】
【請求項１】
文字、数字等の情報が変動表示される表示部を有し該表示部の前側にはその周囲を囲う枠体を備えた可変表示装置を遊技盤面に装着してなる弾球遊技機であって、
前記枠体はその前面が前記遊技盤面とほぼ同じ高さを有し、前記枠体における外周縁部の上部の前面に前記遊技盤面を流下する遊技球を受け止めて左右いずれかに流下させる細長棒状の支持杆を装着してなり、前記支持杆は前記遊技盤の前面から前方へ所定の寸法離れた位置に配置されていることを特徴とする弾球遊技機。
【請求項２】
文字、数字等の情報が変動表示される表示部を有し該表示部の前側にはその周囲を囲う枠体を備えた可変表示装置を遊技盤面に装着してなる弾球遊技機であって、
前記枠体はその前面が前記遊技盤面とほぼ同じ高さを有し、前記遊技盤の前面に前記枠体の外周縁部の上部を囲いかつ前記遊技盤面を流下する遊技球を受け止めて左右いずれかに流下させる細長棒状の支持杆を装着してなり、前記支持杆は前記遊技盤の前面から前方へ所定の寸法離れた位置に配置されていることを特徴とする弾球遊技機。
【請求項３】
前記支持杆が透明な部材により成形されている請求項１又は２記載の弾球遊技機。
【発明の詳細な説明】
【技術分野】
【０００１】
この発明は、文字、数字等の情報が変動表示される表示部を有し、該表示部の前側にはその周囲を囲う枠体を備える可変表示装置を遊技盤面に装着した弾球遊技機に関するものである。
【背景技術】
【０００２】
従来、弾球遊技機の一種であってフィーバータイプと称されるパチンコ遊技機は、遊技盤面のほぼ中央に文字、数字等の情報を変動表示する可変表示装置が装着され、また、その下方に始動入賞口、入賞装置がそれぞれ配置されている。そして、前記始動入賞口にパチンコ球が入賞すると、表示部の情報が変動表示し一定の時間経過後に停止して特定の表示を示す。このときその表示が、例えば「７７７」といった特定の情報を示し遊技者にとって有利な特別遊技状態になったとき、一定の条件の下で前記入賞装置の開閉扉を所定回数開成させ一度に多くの入賞球が得られるようになっている。
【０００３】
前記可変表示装置は、情報が変動表示される表示部の前側にその周囲を囲う枠体が備えられており、該枠体の上部前面には左右の横幅全体に亘って前方へ広くかつ大きく突出するようにして飾りが配設されている（例えば、特許文献１参照。）。
【特許文献１】特開２００２−８５６４８号公報（第２−３頁、図１）
【発明の開示】
【発明が解決しようとする課題】
【０００４】
一方、遊技盤の前面には所望の模様・図柄といったデザインが描出されており、また、遊技盤面に装着される盤面部品も前記所望のデザインと関連のある形状・模様が付けられる。そこで、前記可変表示装置における枠体の飾りも、同様に前記デザインと関連する形状・模様が付けられるが、この飾りは枠体の左右の横幅全体に亘って前方へ広くかつ大きく突出していることから、看者である遊技者に圧迫感を与えている。しかも、遊技盤面のデザインは飾りを含めた枠体により仕切られ連続性が失われて見た目の面白味がなく、このため、遊技を楽しむ上において必要な心地よさに欠け遊技の興趣を高めるに十分でないという課題があった。
そこで、本発明は上記課題を解決すべくなされたもので、遊技者に与える圧迫感を払拭すると共に、遊技盤面のデザインをそのまま枠体の前面にまで連続して広げることができるようにして遊技盤面に統一性のある大胆かつ斬新なデザインを施し、もって、遊技者に心地良さを与えて遊技の興趣を高め商品価値も上げることができる弾球遊技機を提供することを目的とするものである。
【課題を解決するための手段】
【０００５】
かかる目的を達成するため本発明に係る弾球遊技機は、文字、数字等の情報が変動表示される表示部を有し該表示部の前側にはその周囲を囲う枠体を備えた可変表示装置を遊技盤面に装着してなる弾球遊技機であって、前記枠体はその前面が遊技盤面とほぼ同じ高さを有し、枠体における外周縁部の上部の前面に遊技盤面を流下する遊技球を受け止めて左右いずれかに流下させる細長棒状の支持杆を装着してなり、支持杆は遊技盤の前面から前方へ所定の寸法離れた位置に配置されている構成からなる。
【０００６】
また、本発明は、文字、数字等の情報が変動表示される表示部を有し該表示部の前側にはその周囲を囲う枠体を備えた可変表示装置を遊技盤面に装着してなる弾球遊技機であって、枠体はその前面が遊技盤面とほぼ同じ高さを有し、遊技盤の前面に枠体の外周縁部の上部を囲いかつ遊技盤面を流下する遊技球を受け止めて左右いずれかに流下させる細長棒状の支持杆を装着してなり、支持杆は遊技盤の前面から前方へ所定の寸法離れた位置に配置されている構成が採られる。
【０００７】
前記いずれの場合も、前記支持杆が透明な部材により成形されていることが好ましい。
【発明の効果】
【０００８】
本願の請求項１に係る発明は、表示部の前側周囲を囲う枠体の前面が遊技盤面とほぼ同じ高さを有し、枠体における外周縁部の上部の前面に遊技盤面を流下する遊技球を受け止めて左右いずれかに流下させる細長棒状の支持杆を装着してなり、該支持杆は遊技盤の前面から前方へ所定の寸法離れた位置に配置するようにした。よって、従来の如き飾りが払拭されて遊技盤面がすっきりとし、また、遊技盤面のデザインがそのまま枠体の前面にまで連続して広げられるようになるので、遊技者が心地よく遊技することができるばかりか、遊技盤面に統一性のある大胆かつ斬新なデザインが施こされ、これにより、遊技者に心地良さを与えることとなり遊技の興趣が高められ、更には弾球遊技機の商品価値も上げることができるという効果がある。
【０００９】
また、本願の請求項２に係る発明のように、表示部の前側周囲を囲う枠体の前面が遊技盤面とほぼ同じ高さを有し、遊技盤の前面に枠体の外周縁部の上部を囲いかつ遊技盤面を流下する遊技球を受け止めて左右いずれかに流下させる細長棒状の支持杆を装着してなり、支持杆は遊技盤の前面から前方へ所定の寸法離れた位置に配置するようにしても、前記と同様な効果が得られる。
【００１０】
本願の請求項３に係る発明のように支持杆を透明な部材により成形するようにすれば、その存在が解りにくくなって遊技盤面により統一性のある大胆かつ斬新なデザインを施すことができ、もって、遊技の興趣がより高められると共に弾球遊技機の商品価値も上げることができるという効果がある。
【発明を実施するための最良の形態】
【００１１】
以下、本発明に係る弾球遊技機の実施の形態を図面に基づき説明する。弾球遊技機にはパチンコ遊技機、雀球遊技機、アレパチ機、アレンジボール機があり、本発明はいずれにも適用できるが、この内、パチンコ遊技機について説明する。
【００１２】
図１はパチンコ遊技機の正面図である。図において、１はパチンコ遊技機Ｐにおける木製の外枠であって縦長方形枠状に成形されている。その前面に一側上下部を前記外枠１の一側上下部に設けた軸支部３，３に軸支して前枠２が回動自在に装着される。また、前記前枠２の裏側に遊技盤４が配置固定される。そして、前記前枠２の前面に、遊技盤４前面の遊技部４ａを覆う２枚の透明板であるガラス板５を備えた透明板保持枠６が回動可能に装着される。また、透明板保持枠６の下方には前板７が回動自在に装着される。
【００１３】
前記前板７の前面に遊技球としてのパチンコ球を発射部（図示せず。）に供給するための打球供給皿８が装着される。また、前枠２の下部前面には、前記打球供給皿８から溢れるパチンコ球を貯留する余剰球受皿９が装着されている。１０は前記前枠２の下部前面の一側に設けられ、発射部から打ち出されるパチンコ球の打球力の強弱を調節する操作ハンドルである。
【００１４】
前記遊技盤４の前面には、遊技部４ａを囲うように内側ガイドレール１１ａと外側ガイドレール１１ｂとが渦巻き状に敷設される。そして、遊技部４ａのほぼ中央に表示部１２ａを備えた可変表示装置１２が配置され、また、その下方にパチンコ球の入賞により前記表示部１２ａの文字、数字、図形等の情報を変動表示させる始動入賞口１３が配置される。更に、その下方に位置して前記変動した情報が一定の時間経過後に停止して特定の表示（例えば、「７７７」）を示し、遊技者にとって有利な特別遊技状態になったとき、一定の条件の下で開閉扉１４ａを所定回数開成させて一度に多くの入賞球が得られる入賞装置１４が配置される。
【００１５】
また、前記遊技部４ａにおける可変表示装置１２の両側に通過チャッカー１５，１５が配置される。そして、遊技盤４面を流下するパチンコ球がこの通過チャッカー１５，１５を通過して別途設けられる抽選で特定の数字になったとき、前記始動入賞口１３に設けられた傾動可能な一対の開閉翼片１３ａ，１３ａがパチンコ球を入賞させ易いように一定時間傾動するようになっている。該各通過チャッカー１５の下面には、互いに中央側を開放する弧状のガイド板１６が一体に設けられ、通過チャッカー１５を通過したパチンコ球を中央寄りへ導くようにしている。
【００１６】
更に、各通過チャッカー１５の下方であって内側ガイドレール１１ａ及び外側ガイドレール１１ｂの内側面に沿わせ、それぞれ遊技盤４の中央側へ膨出するように湾曲しパチンコ球を同じ中央側へ導く細長棒状の誘導部材１７が装着されている。この誘導部材１７は、遊技盤４面に所定の間隔離れて平行に配置されている。１８は遊技盤４面を流下するパチンコ球が当たることによりその流れ方向を変える風車である。なお、前記遊技盤４面には他に例えば多くの障害釘が植設されるが、これらは図面上省略してある。
【００１７】
前記可変表示装置１２は、図２に示すようにラッパ状の枠体２０とその後側に配置される表示装置本体２１とからなる。枠体２０はその正面がほぼ円輪郭状に成形されると共に内周面は後方へ進むにつれ徐々に窄まっており、前端面と後端面とが開放されている。そして、後端面の開口２２に表示装置本体２１前面の表示部１２ａが臨み、枠体２０の前側から表示部１２ａが視認できるようになっている。
【００１８】
前記枠体２０の外周縁部２０ａの前面は、遊技盤４の前面に装着したとき該遊技盤面とほぼ同じ高さとなる平坦面に成形され、その後面が遊技盤４面に当接する。よって、前記外周縁部２０ａは遊技盤４面からほとんど前方へ突出することがない。そして、外周縁部２０ａのほぼ上半部の前面に、上方に膨らんだ半円弧状の支持杆２３が外周縁部２０ａの全面と平行に装着されている。この支持杆２３は、遊技盤４面を流下する遊技球を受け止めて左右いずれかに流下させるもので、枠体２０の前面から前側へ突設する複数の腕杆２４の先端に保持されている。
【００１９】
この支持杆２３は、細長棒状であって直径５〜６ｍｍの円柱状をなし、図４に示すように遊技盤４の前面から前方へ所定の寸法離れた位置に配置されている。所定の寸法は、支持杆２３の上面にパチンコ球Ｂが乗ったとき、該パチンコ球Ｂが、支持杆２３と枠体２０の外周縁部２０ａの前面とにより支持されて流下し、支持杆２３とガラス板５の内面との間に支持されて流下することがない範囲で選ばれる。また、これにより支持杆２３と枠体２０の外周縁部２０ａとの間に所定寸法の隙間２５が成形される。
【００２０】
本発明では、前記遊技盤４の前面に貼着されるセル板と称される樹脂シート１９と前記枠体２０の前面とに同じデザインの模様が描出される。すなわち、図３に示すように枠体２０の中央に位置する表示部１２ａを中心として複数本の放射線ａが等間隔に引かれると共に表示部１２ａを中心とする複数本の同心円ｂが等間隔に引かれ、更に、各放射線ａと各同心円ｂとにより囲まれる枡ｃにそれぞれ数字ｄが配置されている。
【００２１】
このように、可変表示装置１２の枠体２０前面である外周縁部２０ａが遊技盤面とほぼ同じ高さとなる平坦面に成形され、該外周縁部２０ａに細長棒状の支持杆２３を配置してなるので、遊技者側からみてほとんど圧迫感がなくすっきりした感じを受ける。また、支持杆２３は外周縁部２０ａ前面との間に所定の寸法の隙間２５を離して配置されるので、枠体２０の前面から遊技盤４の前面にまで描出したデザインは、正面から見て前記支持杆２３の陰で隠れる部分も隙間２５の上方又は下方から見られることとなり、全体的に途切れることなく連続したものとして捉えられる。しかも、大胆で斬新なデザインを描出することができ、これにより、遊技者に心地よい感覚が与えられ楽しく遊技させることができる。
【００２２】
図示は省略するが、前記のように支持杆２３を枠体２０の前面に装着する以外に、例えば外周縁部２０ａのほぼ上半部を囲うようにして遊技盤４の前面に支持枠２３を装着するようにしても良い。この場合も、支持枠２３は遊技盤４の前面から前方へ所定の寸法離れた位置に配置される。このようにしても、本発明と同じ効果が得られる。
【００２３】
また、通常、前記支持杆２３は枠体２０と同様に合成樹脂材により一体に成形されるが、腕杆２４と共に支持杆２３を枠体２０とは別体に成形し、例えば腕杆２４を枠体２０にビス止めするようにして支持杆２３が交換自在に取り付けられるようにしても良い。更に、支持杆２３または腕杆２４と共に支持杆２３を透明な合成樹脂材により成形するようにすれば、その存在が解りにくく遊技盤面に一層統一性のある大胆かつ斬新なデザインを施すことができ、遊技の興趣がより高められる。
【図面の簡単な説明】
【００２４】
【図１】本発明に係るパチンコ遊技機の正面図。
【図２】可変表示装置の斜視図。
【図３】可変表示装置が装着されたパチンコ遊技機の部分正面図。
【図４】同側面断面図。
【符号の説明】
【００２５】
４                    遊技盤
１２                  可変表示装置
１２ａ                表示部
２０                  枠体
２０ａ                外周縁部
２３                  支持杆
Ｂ                    遊技球（パチンコ球）
Ｐ                    弾球遊技機（パチンコ遊技機）
【図１】
2005211489.tif 000003
【図２】
2005211489.tif 000004
【図３】
2005211489.tif 000005
【図４】
2005211489.tif 000006